(57)【特許請求の範囲】
【請求項１】
開口部を有する略有底箱形に形成された基台内に、保持力を発生する１対の磁石と、各磁石を夫々挟持して磁石の保持力でもって基台の開口部より突出した突出端面が基台と対向配置された２つの可動部材に設けられた吸着板を夫々吸着する２対のヨークと、可動接点を固着した可動接点板が一端部に配置された棒状の操作子を有すると共に吸着板がヨークの突出端面に吸着されると操作子の他端部が押圧されて可動接点が固定接点に接触又は離反するスイッチ部と、上記操作子を押圧前の状態に復帰させる復帰バネとを備えたドアスイッチの構造であって、上記操作子の押圧される側の他端部にシーソー揺動自在のレバーが支持され、レバーが２個の分離したシーソー揺動自在のレバー片から成り、この２個のレバー片に押し釦部が夫々取付けられ、両方のレバー片が両方の押し釦部を介して２つの可動部材にて同時に押圧された時のみスイッチ部が動作し、且つ少なくとも一方のレバー片の押圧が解除された時に上記復帰バネによりスイッチ部が復帰するように構成されていることを特徴とするドアスイッチの構造。
【請求項２】
レバー片と押し釦部とを分離したことを特徴とする請求項１記載のドアスイッチの構造。
【請求項３】
レバーが操作子により常に前方に押圧されていることを特徴とする請求項１又は請求項２記載のドアスイッチの構造。
【請求項４】
操作子にレバーをシーソー揺動自在に支持するレバー支持部を設け、レバーを操作子のレバー支持部から離反する方向に常に押圧するスプリングを設けたことを特徴とする請求項１又は請求項２記載のドアスイッチの構造。
【請求項５】
一方の磁石を挟む１対のヨークと他方の磁石を挟む１対のヨークとが独立して設けられていることを特徴とする請求項１又は請求項２記載のドアスイッチの構造。
【発明の詳細な説明】
【０００１】
【発明の属する技術分野】
この発明は、例えば機械設備の安全カバー、家具、クローゼットなどのドアの開閉を検知するためのドアスイッチの構造に関するものである。
【０００２】
【従来の技術】
従来より、この種のドアスイッチとして、例えば機械設備などの開口部を開閉する安全カバーのような可動部材に吸着板を設け、この吸着板を吸着したときに可動部材の開閉を検知するスイッチ部を内蔵したものが知られており、その一例を図２１に示す。このドアスイッチ１′は、設備ケース４１側に取付けられるもので、前面に２対のヨーク４と、ヨーク４に挟まれた１対の磁石３と、１個のスイッチ用押し釦４０とが夫々配置されており、ドア５ａを閉じたときにドア５ａに設けた磁性体などの吸着板９がヨーク４に吸着することで、ドア５ａを閉じた状態で保持すると共に、吸着板９が押し釦４０を押し込むことによって、内蔵されたスイッチ部（図示せず）を動作させて設備機器の接点の状態を切り替えるものであり、さらにドア５ａを開いて吸着板９がヨーク４から離れたときには内蔵された復帰バネ（図示せず）の作用で押し釦４０が元の位置に戻るようになっている。図２１（ｂ）中の２２は端子カバーである。
【０００３】
【発明が解決しようとする課題】
ところが、従来のドアスイッチの構造では、スイッチ部を動作させる押し釦４０が１個しかなく、片開きドア（或いは片開き扉）の開閉の検知には有効であるが、図２１（ａ）のような両開きドアの場合には、各々のドア５ａの開閉を検知するために２個のドアスイッチ１′が必要となり、ドアスイッチ１′の数が増えて取付け作業性が悪くなるという問題がある。また、例えば機械設備の場合には、どちらか一方のドア５ａが開けば中の機械が停止するような使い方が一般的であり、また機械設備以外でも、例えば家具、クローゼットの場合は、どちらか一方のドア５ａが開けば、中の照明が点灯するような使い方が一般的であるが、このような使い方をしようとすれば、２個のドアスイッチ１′で「ＯＲ」回路を形成する必要があり、このためドアスイッチ１′の接続回路が複雑となり、配線作業が困難になるなど、非常に使い勝手の悪いものであった。
【０００４】
本発明は、上記従来例に鑑みてなされたもので、１個のドアスイッチで２つの可動部材を保持でき、ドアスイッチの取付け作業性を向上させることができると共に、両方の可動部材の少なくとも一方が開いた時でもその開閉の検知を行なうことができ、ドアスイッチの接続回路を簡素化して配線作業性を大幅に向上させることができる使い勝手が良好なドアスイッチの構造を提供することを課題とする。
【０００５】
【課題を解決するための手段】
上記課題を解決するために、本発明は、開口部２ａを有する略有底箱形に形成された基台２内に、保持力を発生する１対の磁石３と、中央部に空隙をあけた状態で上記各磁石３を夫々挟持して、磁石３の保持力でもって基台２の開口部２ａより突出した突出端面４ａが基台２と対向配置された２つの可動部材５に設けられた吸着板９を夫々吸着するヨーク４と、上記ヨーク４間の空隙に位置して可動接点６を固着した可動接点板７が一端部に配置された棒状の操作子８を有し、吸着板９がヨーク４の突出端面４ａに吸着されると操作子８の他端部が押圧されて可動接点６が固定接点１０に接触又は離反するスイッチ部１２と、上記操作子８を押圧前の状態に復帰させる復帰バネ１３とを備えたドアスイッチの構造であって、上記操作子８の押圧される側の他端部にシーソー揺動自在のレバー１４が装着され、レバー１４が２個の分離したシーソー揺動自在のレバー片１５から成り、この２個のレバー片１５に押し釦部１９が夫々取付けられ、両方のレバー片１５が両方の押し釦部１９を介して２つの可動部材５にて同時に押圧された時のみスイッチ部１２が動作し、且つ少なくとも一方のレバー片５の押圧が解除された時に上記復帰バネ１３によりスイッチ部１２が復帰するように構成されていることを特徴としており、このように構成することで、両方の可動部材５を閉じると、各可動部材５の吸着板９がヨーク４に夫々吸着し、１個のドアスイッチ１で２つの可動部材５を夫々保持できるものとなる。またこのとき、両方のレバー片１５が両方の押し釦部１９を介して２つの可動部材５にて同時に押圧されることで、操作子８が押圧されてスイッチ部１２が動作し、その後、片側の可動部材５又は両方の可動部材５を開くと、一方のレバー片５の押圧が解除されることで、復帰バネ１３のバネ力によってスイッチ部１２が押圧前の接点の状態に復帰することができ、従って、１個のドアスイッチ１で２つの可動部材５の開閉を検知することが可能となる。
【０００６】
しかも上記レバー１４が２個の分離したレバー片１５から成り、この２個のレバー片１５に押し釦部１９が夫々取付けられているので、両方の可動部材５を閉じると両方の押し釦部１９が同時に押圧されることで、２個のレバー片１５を介して操作子８が押圧されてスイッチ部１２が動作し、１個のドアスイッチ１で２つの可動部材５の開閉を検知することが可能となる。
【０００７】
上記レバー片１５と押し釦部１９とを分離するのが好ましく、この場合、レバー片１５の構造を簡略化でき、例えば強度を高めるために板金でレバー片１５を形成可能となり、レバー片１５が製造し易くなる。
【０００８】
上記レバー１４が操作子８により常に前方に押圧されているのが好ましく、この場合、レバー１４の両方の先端部１４ａの押圧が解除された際のレバー１４のぐらつきを防止することができる。
【０００９】
上記操作子８にレバー１４をシーソー揺動自在に支持するレバー支持部８ｃを設け、レバー１４を操作子８のレバー支持部８ｃから離反する方向に常に押圧するスプリング１６を設けるのが好ましく、この場合、スプリング１６にてレバー１４とレバー支持部８ｃとを少し離して隙間Ｇを形成することにより、レバー１４が傾いた場合でも、操作子８の押し下げ幅を小さくして操作子８が殆ど押し下げられないようにすることができ、従って、片側の可動部材５のみを閉じた際に誤ってスイッチ部１２が動作することがなく、スイッチ動作の信頼性を高めることができるものである。
【００１０】
上記一方の磁石３を挟む１対のヨーク４と他方の磁石３を挟む１対のヨーク４とが独立して設けられているのが好ましく、この場合、一方の可動部材５を開くときにこの可動部材５の吸着板９に吸着する一方のヨーク４が引張られて多少動いても、閉じられている側の可動部材５の吸着板９を吸着する他方のヨーク４は上記開かれる側の一方のヨーク４とは独立して設けられているので、一方の可動部材５に吸着された一方のヨーク４の動きが他方の可動部材５に吸着された他方のヨーク４に影響を与えることがなく、従って、一方の可動部材５を開いても他方の可動部材５が誤って開くことを防止できるようになる。
【００１１】
【発明の実施の形態】
以下、本発明の参考例を図１〜図１２に示す。図１の参考例では、例えば家具などの両開き式のドア５ａを構成する２つの可動部材５を備えたものにおいて、家具本体の中央の１箇所に設置されるドアスイッチの構造を説明する。
【００１２】
ドアスイッチ１は、図２に示すように、開口部２ａを有する略有底箱形に形成された基台２と、基台２内に収納される磁石３、ヨーク４、スイッチ部１２及び復帰バネ１３とで主体が構成されている。
【００１３】
上記基台２は、絶縁材料から成るケース２０と蓋２１とに分割されていると共に、ケース２０の前面側に開口部２ａが設けられ、ケース２０の後面側に固定端子板１１への配線を行なう端子カバー２２が設けられる。この端子カバー２２は、上方に開口した有底状の細長箱状に形成されており、その長さ方向の一端部に配線引き込み口８０が設けられている。
【００１４】
ケース２０内には第１の部屋２２ａと第２の部屋２２ｂとが形成されている。第１の部屋２２ａ内には、１対の磁石ブロック２４と、後述するレバー１４などが収納されている。各磁石ブロック２４は、夫々、保持力を発生する磁石３と、磁石３を挟持する１対のヨーク４とから成り、磁石３の保持力でもってヨーク４の基台２の開口部２ａより突出した突出端面４ａが両ドア５ａに設けられた吸着板９を夫々吸着するようになっている。
【００１５】
また、ケース２０の第２の部屋２２ｂ内には、各磁石ブロック１４に対応する１対のスイッチ部１２が収納されている。各スイッチ部１２は、夫々、固定接点１０が固着された１対の固定端子板１１と、可動接点６が固着された可動接点板７と、棒状の操作子８を構成するプランジャ８ａとから成り、吸着板９がヨーク４の突出端面４ａに吸着されたときにプランジャ８ａが下降して可動接点板７の可動接点６が固定接点１０に接触又は離反するようになっている。ここで、固定端子板１１はケース２０に係止されており、可動接点板７はプランジャ８ａに係止されている。この可動接点板７は、可動接点６が固着されている両端部が固定接点１０と接触又は離反する方向に反転可能な反転ばねで構成されており、本参考例では、可動接点板７の中央部７ｃにプランジャ８ａが貫通する貫通孔７ａが形成され、可動接点板７の長さ方向に沿う両サイドには略Ｗ字状の屈曲部７ｂが夫々形成されている。この屈曲部７ｂは、可動接点板７の長さ方向の両端部７ｄ，７ｄを互いに連結するためのものであり、従って、可動接点板７の中央部７ｃがプランジャ８ａにて下方に押し下げられたときには可動接点板７の長さ方向の両端部７ｄ，ｄｃが中央部７ｃより上方に位置した状態で保持され、可動接点板７の中央部７ｃが上方に押し上げられたときには可動接点板７が反転して可動接点板７の長さ方向の両端部７ｄ，７ｄが中央部７ｃより下方に位置した状態で保持されるものである。
【００１６】
上記プランジャ８ａの一端部は、図２に示すように、復帰バネ１３を介してケース２０のバネ支持部２０ａに支持されており、この復帰バネ１３によってプランジャ８ａは上方に向かって常に付勢されている。プランジャ８ａの他端部は第１の部屋２２ａと第２の部屋２２ｂを仕切る仕切壁２３の切欠き２７を貫通して第１の部屋２２ａ内に挿入されており、プランジャ８ａの他端部側に細い小径部８ｂが形成され、この小径部８ｂがレバー１４の中央部１４ｃに形成された孔部１４ｂを貫通しており、その小径部８ｂの先端がケース２０に凹設された溝部２０ｂ内に挿入され、この溝部２０ｂに沿ってプランジャ８ａは上下方向に摺動自在となっている。
【００１７】
上記プランジャ８ａの他端部にはレバー１４がシーソー揺動自在に装着されている。レバー１４は、プランジャ８ａが貫通する貫通孔１４ｂが穿設されたＵ字状部１４ｃと、Ｕ字状部１４ｃの両端から突出して検知するドア５ａで操作される一対の操作片１４ｄとから成り、一方の操作片１４ｄの先端は一方の磁石３近傍に配置され、他方の操作片１４ｄの先端は他方の磁石３近傍に配置されている。またレバー１４の下面側は、図３に示すように、プランジャ８ａの小径部８ｂの根元両側に設けた１対の三角状のレバー支持部８ｃによってシーソー揺動自在に支持されている。さらに両方のドア５ａを開いた状態から片側のドア５ａのみを閉じた際には、スイッチ部１２の接点の状態が変わらないようにするために、図３に示すように、ケース２０の溝部２０ｂの側面にはテーパー２０ｃをつけて斜面状に形成してあり、レバー１４の傾きによるプランジャ８ａの押し下げ幅が少なくなるようにしてある。
【００１８】
上記第１の部屋２２ａと第２の部屋２２ｂは仕切壁２３で仕切られており、この仕切壁２３の略中央部にスイッチを動作させるための上記プランジャ８ａが摺動自在に貫通する切欠き２７が形成されている。
【００１９】
ケース２０の第１の部屋２２ａ内の側壁の二箇所には突起２８が突設されており、一方、蓋２１にも上記突起２８に対向する位置に同じ突起（図示せず）が突設されており、さらに各ヨーク４には上記突起２８が挿入される孔４ｂが夫々形成されている。そして、蓋２１の突起とヨーク４の孔４ｂとを位置合わせして蓋２１をケース２０に被せることによって、ヨーク４が突起２８で抜け止めされることとなり、またケース２０と蓋２１の間にヨーク４を組み込んだ後に蓋２１とケース２０を熱着などで固着することで蓋２１がケース２０から容易に外れないようにすることができると共に、ヨーク４は突起２８を支点として若干回転する自由度を持ってケース２０と蓋２１内に組み込まれるものである。なお、ヨーク４には磁石３の飛び出しを防止するためのダボ４ｃが形成されている。またダボ４ｃに代えてヨーク４の一端を内側に折り曲げて磁石３の飛び出しを防止するようにしてもよいものである。
【００２０】
次に動作を説明すると、両方のドア５ａを閉じたときには、図１（ａ）のように、両方のドア５ａに設けた吸着板９が１対のヨーク４に吸着されることによって両方のドア５ａは閉じた状態で保持される。このとき、レバー１４の両方の先端部１４ａが同時に押圧されて、プランジャ８ａが押し下げられることによって、プランジャ８ａと係止している可動接点板７の中央部７ｃが下方に押されて、可動接点６と固定接点１０とが開の状態となる。
【００２１】
次に、片側のドア５ａを開くと、図１（ｂ）のように、レバー１４の一方の先端部１４ａのみが開放される。このときレバー１４に加えられていた片方の力が取り除かれることで、復帰バネ１３のバネ力でレバー１４の中央部１４ｃとプランジャ８ａとの係止部が上方に押されて、レバー１４は開放されていない他方の先端部１４ａを支点として回転しながら、プランジャ８ａを上方に移動させ、可動接点板７の中央部７ｃとプランジャ８ａとの係止部が死点を通過した直後に、可動接点板７が反転して可動接点６と固定接点１０が閉の状態に切り替えられる。またドア５ａに取付けた吸着板９と基台２に設けたヨーク４とは磁石３の保持力によって吸着しているため、片側のドア５ａを開くときにこのヨーク４が引張られて多少動くが、閉じられている側のドア５ａの吸着板９を吸着するヨーク４は上記片側のドア５ａのヨーク４とは独立して設けられているので、片側のドア５ａのヨーク４の動きが他の片側のドア５ａのヨーク４に影響を与えることがなく、従って、片側のドア５ａを開いても他の片側のドア５ａが誤って開くことがない。このことは以下においても同様である。
【００２２】
さらに、図１（ｃ）のように、両方のドア５ａを開くと、レバー１４の他方の先端部１４ａも開放されるために、レバー１４は復帰バネ１３のバネ力によって両方の先端部１４ａが同じ突出高さとなる。このときプランジャ８ａはわずかに上方に移動するだけであるので、スイッチ部１２の接点の状態（閉状態）は変化しないものである。その後、両方のドア５ａを閉じると、再び図１（ａ）の状態に戻り、スイッチ部１２は元の開状態に復帰する。
【００２３】
しかして、上記のように両方のドア５ａを閉じると、各ドア５ａの吸着板９がヨーク４に夫々吸着し、１個のドアスイッチ１で２つのドア５ａを夫々保持できるものとなり、ドアスイッチ１の数を減らして取付け作業性の向上を図ることができる。さらにスイッチ部１２を動作させるレバー１４の両方の先端部１４ａを両開きドア５ａの吸着板９に夫々対向配置したことによって、１個のドアスイッチ１で２つのドア５ａの開閉を検知することが可能となるので、従来のように２個のドアスイッチ１を用いたり、「ＯＲ」回路を形成したりする必要もなくなり、ドアスイッチ１の接続回路が簡単になり、スイッチの結線も簡略化して配線作業が容易となり、配線作業性が大幅に向上し、使い勝手が一層良くなる。また上記のような常時ＯＮ（ＮＣ）タイプのドアスイッチ１を用いれば、例えば家具、クローゼットの場合にあっては、どちらか一方のドア５ａが開けば、中の照明がＯＮ、ＯＦＦするような使い方ができるようになる。なお、ドアスイッチ１は両開きドアだけでなく、片開きドアの開閉の検知にも有効であるのは勿論のことである。
【００２４】
さらに、レバー１４はプランジャ８ａによって常に前方に押圧されているので、両方のドア５ａが開いている場合のレバー１４のぐらつきを防止することができる。つまり、レバー１４をシーソー揺動自在にすると、両方のドア５ａが開いている状態ではレバー１４が固定されずにフラフラしている。これを防止するために、両方のドア５ａが開いた時に復帰バネ１３のバネ力によってプランジャ８ａを介してレバー１４の中央部１４ｃをケース２０の溝部２０ｂの下端に押し付けることによって、シーソー揺動自在のレバー１４がフラフラするのを防止できるようになる。また、両方のドア５ａを開いた状態から片側のドア５ａのみを閉じるとレバー１４が傾き、プランジャ８ａが下方に押されるが、このときスイッチ部１２の接点状態が変わらないようにする必要がある。そこで、図３のようにケース２０の溝部２０ｂの側面にテーパー２０ｃをつけて斜面状に形成すれば、プランジャ８ａの押し下げ幅は僅かなものとなり、従って、スイッチ部１２が誤って動作するのを防止できるようになる。
【００２５】
さらに、図４に示すように、レバー１４を常にプランジャ８ａの三角状のレバー支持部８ｃから離反する方向に押圧するためのスプリング１６を設けるようにしてもよい。この参考例では、レバー１４とケース２０の仕切壁２３との間にコイルバネのようなスプリング１６を介在させ、このスプリング１６により図４（ｂ）に示すように、レバー１４とプランジャ８ａのレバー支持部８ｃとの間に隙間Ｇを形成できるようになる。つまり、レバー１４の中央部１４ｃがプランジャ８ａのレバー支持部８ｃでシーソー揺動自在に支持されていると、両方のドア５ａを開いた状態で片側のドア５ａのみを閉じるとレバー１４が下に押されて図３の仮想線で示すように傾いた状態となる。このときプランジャ８ａには図３のＬで示す厚みがあるために、レバー１４が下に押されるとプランジャ８ａが下方に押し下げられることとなり、誤ってスイッチ部１２が動作する恐れがある。そこで、片側のドア５ａのみを閉じる際にレバー１４が不用意に動かないようにするために、プランジャ８ａのレバー支持部８ｃとレバー１４とを少し離しておくことが考えられる。図４の参考例では、プランジャ８ａのレバー支持部８ｃとレバー１４とを少し離して隙間Ｇを形成したことによって、レバー１４が傾いた場合でも、プランジャ８ａが殆ど押し下げられず、誤ってスイッチ部１２が動作する心配がなく、スイッチ動作の信頼性が高められるものである。
【００２６】
さらに、ドアスイッチ１は上記参考例のような常時ＯＮタイプのものに限られず、例えば図５に示すような常時ＯＦＦ（ＮＯ）タイプのものであってもよい。このタイプのものは機械設備の用途が多く、どちらか一方のドア５ａを開けば中の機械が停止するような安全な使い方に最適となる。すなわち、家具、クローゼットなどの扉の保持、開閉検知を行なうための住宅分野に用いられるだけでなく、機械設備分野にも広く利用できるものである。
【００２７】
さらにドアスイッチ１として、図６に示すように、両切り接点タイプのものを使用できる。これはＮＯ接点とＮＣ接点の両方を持ち、ドア５ａを開くことにより、ＯＮする接点とＯＦＦする接点とを持っている。尚、レバー１４の作用は図５の場合と同様である。
【００２８】
本発明の他の参考例を図７〜図９に示す。この参考例では、レバー１４は、図８及び図９に示すように、平板状に形成され、中央部１４ｃにプランジャ８ａが貫通する貫通孔１４ｂが形成されていると共に、レバー１４の両方の先端部１４ａは中央部１４ｃよりも夫々細長く形成されている。このレバー１４の両方の先端部１４ａの上面側には、レバー１４とは別部材の１対の平板状の押し釦１８がレバー１４に対して上下移動自在に夫々係止されており、各押し釦１８とレバー１４の先端部１４ａとの間にはコイルバネから成る押上げバネ３０が夫々介在されている。各押し釦１８は、上部に検知するドア５ａにより操作される操作片１８ａが設けられていると共に、下部に押上げバネ３０の上端部を支持するバネ支持凹所１８ｂと、レバー１４の先端部１４ａ側に支持されるレバー支持凹所１８ｃとが夫々形成されており、これにより各押し釦１８は押上げバネ３０のバネ力によって常に上方に向かってバネ付勢されている。尚、レバー１４以外の他の構成は図２の参考例と同様である。
【００２９】
しかして、両方のドア５ａを閉じたときには、図７（ａ）のように、両方のドア５ａに設けた吸着板９が１対のヨーク４に吸着されることによって両方のドア５ａは閉じた状態で保持される。このとき、レバー１４の両方の先端部１４ａに取付けた押し釦１８が同時に押圧され、プランジャ８ａが押し下げられることによって、プランジャ８ａと係止している可動接点板７の中央部７ｃが下方に押されて可動接点６と固定接点１０とが開の状態となる。
【００３０】
次に、片側のドア５ａを開くと、図７（ｂ）のように、一方の押し釦１８のみが開放され、復帰バネ１３のバネ力でレバー１４の中央部１４ｃとプランジャ８ａとの係止部が上方に押されて、可動接点板７が反転して可動接点６と固定接点１０が閉の状態に切り替えられる。さらに、図７（ｃ）のように、他の片側のドア５ａを開くと、他方の押し釦１８も開放されるために、復帰バネ１３のバネ力によって両方の押し釦１８は同じ突出高さとなる。このときプランジャ８ａはわずかに上方に移動するだけであるので、スイッチ部１２の接点の状態（閉状態）は変化しない。その後、両方のドア５ａを閉じると、再び図７（ａ）の状態に戻り、スイッチ部１２は元の開状態に復帰する。
【００３１】
従って、レバー１４の両方の先端部１４ａに押上げバネ３０を介して押し釦１８を配置したことによって、レバー１４の形状が簡易となり、しかも押上げバネ３０によってレバー１４の復帰力を高めることができ、従って、レバー１４の機能を長期に亘って持続できるようになる。また図１〜図３の参考例と同様、１個のドアスイッチ１で両開きドア５ａを保持できると共に、両方のドア５ａの開閉の検知を行なうことができるという効果、及びドアスイッチ１の取付作業性と配線作業性を大幅に向上させることができるという効果が得られ、さらに両方のドア５ａが開いている際の押し釦１８のぐらつきを防止することができるという効果を得ることができる。また、図１０に示すように、レバー１４をスプリング１６により常にプランジャ８ａのレバー支持部８ｃから離反する方向に押圧するようにしてもよく、この場合、図４（ｂ）の参考例と同様、スプリング１６によって片側のドア５ａのみを閉じた際のプランジャ８ａの押し下げ幅を小さくして、誤ってスイッチ部１２が動作するのを防止できるという効果が得られる。なおドアスイッチ１は常時ＯＮタイプのものに限られず、例えば図１１に示すような常時ＯＦＦ（ＮＯ）タイプのものであってもよく、また図１２に示すように、両切り接点タイプのものを使用できる点は、図４〜図６の参考例と同様である。
【００３２】
本発明の実施形態を説明する。図１３〜図１７に示すように、プランジャ８ａの上端面８ｅに２個の分離したレバー片１５を介して２個の押し釦部１９を夫々支持するようにしてもよい。ここでは固定接点１０は可動接点６の上方に配置され、両方のドア５ａが閉じた状態では可動接点６が固定接点１０から離れる方向に可動接点板７が保持され、且つ少なくとも一方のドア５ａが開いた状態では可動接点６が固定接点１０に接触する方向に可動接点板７が反転するようになっている。他の構成は図８の参考例と同様である。図１４及び図１５に示すように、２つのレバー片１５の中央には磁石３を挟持するヨーク４が貫通するヨーク貫通孔２６が形成されており、各レバー片１５のケース２０側の側面及び蓋２１側の側面にはケース２０及び蓋２１に夫々設けた軸孔３３に回動自在に支持される軸部３４が夫々突設されており、この軸部３４を中心に各レバー片１５はシーソー揺動自在となっている。また各レバー片１５の外側の面には検知されるドア５ａにより操作される押し釦部１９が上方に向かって夫々突設されている。各レバー片１５の内側の面にはプランジャ８ａの他端部に設けた平坦なレバー支持部８ｃを上方から押圧する突起部３５が夫々突設されている。さらに図１５（ｂ）に示すように、各レバー片１５の押し釦部１９とケース２０の仕切壁２３との間にはレバースプリング１７が介在されており、これにより、押し釦部１９は常に上方に向かってバネ付勢されていると共に、各レバー片１５の突起部３５は常に下方に向かってバネ付勢されている。なお、プランジャ８ａのレバー支持部８ｃと仕切壁２３との間には、復帰バネ１３が介在されており、プランジャ８ａは常に上方にバネ付勢されている点は上記各参考例と同様である。
【００３３】
しかして、両方のドア５ａを閉じたときには、図１３（ａ）のように、両方のドア５ａに設けた吸着板９が１対のヨーク４に吸着されることによって両方のドア５ａは閉じた状態で保持される。このとき、２つのレバー片１５に夫々設けた押し釦部１９が同時に押し下げられ、プランジャ８ａと係止している可動接点板７の中央部４ｃが上方に押されて可動接点６と固定接点１０とが開の状態となる。次に、片側のドア５ａを開くと、図１３（ｂ）のように、一方の押し釦部１９のみが開放される。このとき、片方のレバー片１５に加えられていた押圧が取り除かれることで、レバースプリング１７のバネ力で片側のレバー片１５のみが軸部３４を支点として回転しながら、突起部３５がプランジャ８ａを下方に押し下げ、可動接点板７が反転して可動接点６と固定接点１０が閉の状態に切り替えられる。さらに、図１３（ｃ）のように、他の片側のドア５ａを開くと、他方の押し釦部１９も開放されるために、レバースプリング１７のバネ力によって両方の押し釦部１９は同じ突出高さとなる。このときプランジャ８ａはわずかに下方に移動するだけであるので、スイッチ部１２の接点の状態（閉状態）は変化しない。その後、両方のドア５ａを閉じると、再び図１３（ａ）の状態に戻り、スイッチ部１２は元の開状態に復帰する。
【００３４】
このように、２個の分離したレバー片１５に押し釦部１９を夫々設けたことによって、レバー片１５を樹脂などの安価な材料で形成できると共に、レバー片１５と押し釦部１９を組立て易く、そのうえケース２０と蓋２１を利用してレバー片１５を回転自在に支持できるので、プランジャ８ａにレバー支持部を設ける必要がなくなり、プランジャ８ａの構造を簡略化できる。また図１〜図３の参考例と同様、１個のドアスイッチ１で両開きドア５ａを保持できると共に、両方のドア５ａの開閉の検知を行なうことができるという効果、及びドアスイッチ１の取付作業性と配線作業性を大幅に向上させることができるという効果が得られ、さらに両方のドア５ａが開いている際の押し釦部１９及びレバー片１５のぐらつきを防止することができるという効果を得ることができる。
【００３５】
なお、ドアスイッチ１は常時ＯＮタイプのものに限られず、例えば図１６に示すような常時ＯＦＦ（ＮＯ）タイプのものであってもよいものであり、このタイプは設備機器などの用途が多く、ドア５ａを開くと中の設備が停止するような使い方ができるようになる。また図１７に示すように、両切り接点タイプのものを使用できる点は、図４〜図６の参考例と同様である。
【００３６】
ところで、上記レバー片１５の材質として、例えばプラスチックなどの成形品を用いてもよいが、強度を高めるために肉厚を大きくしなければならず、しかも２つのレバー片１５の中央に磁石３を挟持するヨーク４が貫通するヨーク貫通孔２６を形成した場合において、レバー片１５の強度を確保するためにはレバー片１５のヨーク貫通孔２６を大きくすることができないという問題がある。
【００３７】
そこで、図１８に示すように、レバー片１５の材質として板金などの金属を用いるようにすれば、レバー片１５の強度を高めつつ、ヨーク貫通孔２６を大きく確保できるものである。他の構成は図１４と同様である。また図１９に示すように、レバー片１５と押し釦部１９とを分離してもよいものであり、この場合、板金製のレバー片１５の構造を簡略化してレバー片１５の生産性を高めることができると共に、図２０（ａ）〜（ｃ）に示すように、２個の分離したレバー片１５に押し釦部１９を夫々取付けることで、板金のレバー片１５と樹脂製の押し釦部１９の組立てを容易に行なうことができるものとなる。
【００３８】
【発明の効果】
以上説明したように、本発明のうち請求項１記載の発明は、開口部を有する略有底箱形に形成された基台内に、保持力を発生する１対の磁石と、各磁石を夫々挟持して磁石の保持力でもって基台の開口部より突出した突出端面が基台と対向配置された２つの可動部材に設けられた吸着板を夫々吸着する２対のヨークと、可動接点を固着した可動接点板が一端部に配置された棒状の操作子を有すると共に吸着板がヨークの突出端面に吸着されると操作子の他端部が押圧されて可動接点が固定接点に接触又は離反するスイッチ部と、上記操作子を押圧前の状態に復帰させる復帰バネとを備えたドアスイッチの構造であって、上記操作子の押圧される側の他端部にシーソー揺動自在のレバーが支持され、レバーが２個の分離したシーソー揺動自在のレバー片から成り、この２個のレバー片に押し釦部が夫々取付けられ、両方のレバー片が両方の押し釦部を介して２つの可動部材にて同時に押圧された時のみスイッチ部が動作し、且つ少なくとも一方のレバー片の押圧が解除された時に上記復帰バネによりスイッチ部が復帰するように構成されているから、両方の可動部材を閉じると、各可動部材の吸着板がヨークに夫々吸着することで、１個のドアスイッチで２つの可動部材を夫々保持できるものとなり、従って、ドアスイッチの数を減らして取付け作業性の向上を図ることができる。また両方の可動部材を閉じたときには、レバーの両方の先端部が同時に押圧されることで、操作子が押圧されてスイッチ部が動作し、その後、片側の可動部材又は両方の可動部材を開くと、レバーの一方又は両方の先端部の押圧が解除されることで、復帰バネのバネ力によってスイッチ部が押圧前の接点の状態に復帰することができ、従って、１個のドアスイッチで２つの可動部材の開閉を検知することができる。つまり、２つの可動部材の少なくとも一方が開いた時でも１個のドアスイッチでその開閉の検知を行なうことができるので、従来のように２個のドアスイッチを用いて「ＯＲ」回路を形成する必要もなく、従って、ドアスイッチの接続回路を簡略化でき、配線作業性を大幅に向上させることができ、使い勝手が良好なものとなる。しかもレバーが２個の分離したシーソー揺動自在のレバー片から成り、この２個のレバー片に押し釦部が夫々取付けられているから、両方の可動部材を閉じると両方の押し釦部が同時に押圧されることで、２個のレバー片を介して操作子が押圧されてスイッチ部が動作し、１個のドアスイッチで２つの可動部材の開閉を検知することが容易となる。さらに、２個の分離したレバー片に押し釦部を夫々取り付けることによって、レバー片を樹脂などの安価な材料で形成できると共に、レバー片と押し釦部とを組立て易くできるものである。
【００３９】
また請求項２記載の発明は、請求項１記載の効果に加えて、レバー片と押し釦部とを分離したから、レバー片の構造を簡略化でき、例えば強度を高めるために板金でレバー片を形成可能となり、レバー片が製造し易くなる。
【００４０】
また請求項３記載の発明は、請求項１又は請求項２記載の効果に加えて、レバーが操作子により常に前方に押圧されているから、レバーの両方の先端部の押圧が解除された際のレバーのぐらつきを防止することができる。
【００４１】
また請求項４記載の発明は、請求項１又は請求項２記載の効果に加えて、操作子にレバーをシーソー揺動自在に支持するレバー支持部を設け、レバーを操作子のレバー支持部から離反する方向に常に押圧するスプリングを設けたから、スプリングにてレバーとレバー支持部とを少し離して隙間を形成することにより、レバーが傾いた場合でも、操作子が殆ど押し下げられないようにすることができ、従って、片側の可動部材のみを閉じた際に誤ってスイッチ部が動作することがなく、スイッチ動作の信頼性を高めることができる。
【００４２】
また請求項５記載の発明は、請求項１又は請求項２記載の効果に加えて、一方の磁石を挟む１対のヨークと他方の磁石を挟む１対のヨークとが独立して設けられているから、一方の可動部材を開くときにこの可動部材の吸着板に吸着する一方のヨークが引張られて多少動いても、閉じられている側の可動部材の吸着板を吸着する他方のヨークは上記開かれる側の一方のヨークとは独立して設けられているので、一方の可動部材に吸着された一方のヨークの動きが他方の可動部材に吸着された他方のヨークに影響を与えることがなく、従って、一方の可動部材を開いても他方の可動部材が誤って開くことを防止でき、使い勝手が良好となる。
【図面の簡単な説明】
【図１】  （ａ）〜（ｃ）は本発明の参考例を示す動作説明図である。
【図２】  同上のドアスイッチの分解斜視図である。
【図３】  同上のレバーのシーソー揺動状態の説明図である。
【図４】  （ａ）は他の参考例の断面図、（ｂ）は（ａ）の要部拡大図である。
【図５】  他の参考例の一部断面図である。
【図６】  更に他の参考例の一部断面図である。
【図７】  （ａ）〜（ｃ）は更に他の参考例の動作説明図である。
【図８】  図７のドアスイッチの分解斜視図である。
【図９】  図７の押し釦の動作説明図である。
【図１０】  更に他の参考例の一部断面図である。
【図１１】  更に他の参考例の断面図である。
【図１２】  更に他の参考例の断面図である。
【図１３】  （ａ）〜（ｃ）は本発明の実施形態の動作説明図である。
【図１４】  図１３のドアスイッチの分解斜視図である。
【図１５】  （ａ）（ｂ）は図１３の押し釦の動作説明図である。
【図１６】  更に他の実施形態の断面図である。
【図１７】  更に他の実施形態の断面図である。
【図１８】  更に他の実施形態の分解斜視図である。
【図１９】  更に他の実施形態の分解斜視図である。
【図２０】  （ａ）〜（ｃ）は図１９の押し釦の動作説明図である。
【図２１】  （ａ）は従来のドアスイッチが取付けられる設備機器の斜視図、（ｂ）はドアスイッチの斜視図である。
【符号の説明】
１  ドアスイッチ
２  基台
２ａ  開口部
３  磁石
４  ヨーク
４ａ  突出端面
５  可動部材
６  可動接点
７  可動接点板
８  操作子
９  吸着板
１０  固定接点
１２  スイッチ部
１３  復帰バネ
１４  レバー
１４ａ  先端部
１５  レバー片
１６  スプリング
１８  押し釦
１９  押し釦部
【図１】
0003772433.tif 000002
【図２】
0003772433.tif 000003
【図３】
0003772433.tif 000004
【図４】
0003772433.tif 000005
【図５】
0003772433.tif 000006
【図６】
0003772433.tif 000007
【図７】
0003772433.tif 000008
【図８】
0003772433.tif 000009
【図９】
0003772433.tif 000010
【図１０】
0003772433.tif 000011
【図１１】
0003772433.tif 000012
【図１２】
0003772433.tif 000013
【図１３】
0003772433.tif 000014
【図１４】
0003772433.tif 000015
【図１５】
0003772433.tif 000016
【図１６】
0003772433.tif 000017
【図１７】
0003772433.tif 000018
【図１８】
0003772433.tif 000019
【図１９】
0003772433.tif 000020
【図２０】
0003772433.tif 000021
【図２１】
0003772433.tif 000022